(57)【要約】【課題】作業に応じて、電線の端部を被覆したり、外部に露出させたりすることに加えて、露出状態の電線の端部を誤って放した場合は、電線の端部を迅速に被覆できるようにする。【解決手段】電線５０の端部５０ａが一端部１ａから臨出するように、電線５０に沿って配置されるガイド体１と、ガイド体１の両端部１ａ，１ｂを往復移動できるように、ガイド体１に外挿され、しかも、ガイド体１の一端部１ａ側に、基端開口部１１が位置した際に電線５０の端部５０ａを被覆するとともに、ガイド体１の他端部１ｂ側に、基端開口部１１が位置した際に電線５０の端部５０ａを先端開口部１２から外部に露出させる筒状のスライドカバー１０と、スライドカバー１０の基端開口部１１が、ガイド体１の一端部１ａ側に常に位置するように弾性付勢する付勢手段２０とを備える。【選択図】図２
2012174399.tif 000002
【特許請求の範囲】
【請求項１】
線状体（５０）の端部（５０ａ）が一端部（１ａ，３０ａ，４０ａ）から臨出するように、該線状体（５０）に沿って配置されるガイド体（１，３０，４０）と、該ガイド体（１，３０，４０）の両端部（１ａ，３０ａ，４０ａ）、（１ｂ，３０ｂ，４０ｂ）を往復移動できるように、ガイド体（１，３０，４０）に外挿され、しかも、ガイド体（１，３０，４０）の一端部（１ａ，３０ａ，４０ａ）側に、基端開口部（１１，３７，４６）が位置した際に前記線状体（５０）の端部（５０ａ）を被覆するとともに、ガイド体（１，３０，４０）の他端部（１ｂ，３０ｂ，４０ｂ）側に、基端開口部（１１，３７，４６）が位置した際に前記線状体（５０）の端部（５０ａ）を先端開口部（１２，３８，４７）から外部に露出させる筒状のスライドカバー（１０，３５，４５）と、該スライドカバー（１０，３５，４５）の基端開口部（１１，３７，４６）が、ガイド体（１，３０，４０）の一端部（１ａ，３０ａ，４０ａ）側に常に位置するように弾性付勢する付勢手段（２０）とを備えたことを特徴とする端末処理具。
【請求項２】
前記ガイド体（３０）は、線状体（５０）の外周面を挟持できるように、常に閉方向に弾性付勢される一対の挟持片（３１０，３１０）を有するガイド用挟持体（３１）で構成される内筒であり、前記スライドカバー（３５）は、閉状態のガイド用挟持体（３１）の各挟持片（３１０，３１０）の外周面を挟持できるように、閉方向に弾性付勢される一対の挟持片（３６０，３６０）を有する被覆用挟持体（３６）で構成される外筒であり、さらに、ガイド用挟持体（３１）および被覆用挟持体（３６）は、外部から開閉操作できるように、操作片（３１１，３１１）、（３６１，３６１）が形成されることを特徴とする請求項１に記載の端末処理具。
【請求項３】
前記ガイド体（４０）は、線状体（５０）に沿って配置されるガイド本体（４０ａ）に、線状体（５０）の外径の大きさを肉厚によって吸収する緩衝部材（４２，４２）が内面に固着される一対の挟持片（４１０，４１０）を有する装着用挟持体（４１）が配置されることを特徴とする請求項１に記載の端末処理具。
【請求項４】
前記線状体（５０）の端部（５０ａ）は、被覆部材（５１）が剥離されて外部に臨出した電線（５０）の導体（５２）と、該導体（５２）が外部に臨出した電線（５０）の被覆部材（５１）の端部（５１ａ）とを含む部位であり、しかも、前記ガイド体（１，３０，４０）の他端部（１ｂ，３０ｂ，４０ｂ）側に、前記スライドカバー（１０，３５，４５）の基端開口部（１１，３７，４６）が位置した際に、前記スライドカバー（１０，３５，４５）の先端開口部（１２，３８，４７）から露出した電線（５０）の被覆部材（５１）の端部（５１ａ）を工具（Ｔ）で把持できるように、前記ガイド体（１，３０，４０）の一端部（１ａ，３０ａ，４０ａ）から臨出されることを特徴とする請求項１乃至３のいずれか１項に記載の端末処理具。
【請求項５】
前記スライドカバー（１０，３５，４５）は、前記電線（５０）の外周面に装着する際に、工具（Ｔ）で把持される電線（５０）の被覆部材（５１）の端部（５１ａ）の長さを目測するための基準線（１５）が、外周面に表示されることを特徴とする請求項４に記載の端末処理具。
【発明の詳細な説明】
【技術分野】
【０００１】
本発明は、例えば、被覆が剥離されて導体が露出された電線の端末を処理する際に使用される端末処理具に関する。
【背景技術】
【０００２】
従来の端末処理具として、電線、ケーブル、金属パイプなどの線状体の端部を被覆するものが知られている。該端末処理具は、例えば、該線状体の外径よりも大きな内径を有する有底筒状を呈するカバー本体と、該カバー本体の開口端部から軸線に沿って形成された、先細りのテーパ部と、該テーパ部の先端部から延出された、該先端部と同一径の筒状の収縮部と、該収縮部の先端部に等間隔に形成された複数の切り込みと、該各切り込みにより、各切り込みの間に形成された複数の引張り代とを備えている（特許文献１参照）。
【０００３】
この端末処理具によれば、線状体の端部を挿入しやすいように、予め各引張り代をカバー本体の底部側に折り返して、カバー本体の開口部を開口しておく。この際、各引張り代の先端部を引っ張りやすいように、各引張り代の先端部を、カバー本体の底部から突出した状態にしておく。そして、カバー本体の開口部から線状体の先端部を挿入するとともに、折り返した各引張り代を元の状態に戻す。すなわち、カバー本体の開口部からテーパ部および収縮部が延出して形成されるまで各引張り代を伸長する。そうすることで、線状体の外周面に、収縮部および各引張り代が密着して、線状体の端部がカバー本体によって被覆される。
【０００４】
また、他の従来の端末処理具としては、例えば、有底筒体からなるキャップ本体と、該キャップ本体の開口端部に、軸線に平行するように形成された複数の切り込みと、該各切り込みにより、各切り込みの間に形成された複数の分割片と、各分割片によって拡縮されるように形成された、線状体の端部が挿入される挿入口と、キャップ本体に移動自在に外挿されて、挿入口側に移動することで挿入口を縮径するスリーブとを備えたものが知られている（特許文献２参照）。
【０００５】
この端末処理具によれば、キャップ本体の挿入口側にスリーブを移動させると、複数の分割片によって形成される挿入口が縮径され、キャップ本体の内周面が線状体の外周面に密着して、線状体の端部がキャップ本体およびスリーブによって被覆されることになる。
【先行技術文献】
【特許文献】
【０００６】
【特許文献１】特開２００４−４８８８２号公報
【特許文献２】特開平９−７４６３５号公報
【発明の概要】
【発明が解決しようとする課題】
【０００７】
しかしながら、前記従来のいずれの端末処理具も、切断された線状体の端部を単に被覆する場合は有効であるが、線状体が電線の場合、端末処理として、切断された電線の端部を保護したり、導体が露出した端部同士を接続したりするのが一般的である。電線の端部を接続する場合は、接続しようとする電線の各端部を手または工具で把持しつつ、互いの電線の端部の被覆を剥離して、各導体部を外部に露出させる必要がある。この際、電線の端部に前記端末処理具を装着している場合は、該端末処理具を電線の端部から取り外すことになるが、前者の端末処理具は、線状体の外周面に密着した引張り代を折り返す必要があり、密着状態の引張り代は把持しづらく、その作業に手間がかかる。後者の端末処理具は、スリーブをキャップ本体の先端側に移動させた後、キャップ本体を線状体の端部から引き抜く必要があり、作業工程が多くて煩雑である。また、電線の導体部を露出させた後、把持した端部を誤って放してしまうと、導体部が被覆されていない状態で他の機材に接触することも考えられ、安全性を確保できなくなる。
【０００８】
このため、本願出願人が考える端末処理具としての構成は、接続作業以外では、電線の端部を被覆しつつも、接続する際は、端部に対する被覆を容易に解除でき、さらに、被覆解除の状態であっても、把持した端部が、誤って放された場合は、端部を迅速に被覆できることにある。前記いずれの端末処理具も、このような構成にはなっていない。
【０００９】
そこで、本発明は、線状体の端部に容易に着脱できることに加えて、線状体の端部を被覆する一方、被覆した状態を容易に解除できるとともに、解除した状態から被覆した状態に迅速に戻せるようにした端末処理具を提供することを課題とする。
【課題を解決するための手段】
【００１０】
本発明に係る端末処理具は、線状体５０の端部５０ａが一端部１ａ，３０ａ，４０ａから臨出するように、該線状体５０に沿って配置されるガイド体１，３０，４０と、該ガイド体１，３０，４０の両端部１ａ，３０ａ，４０ａ、１ｂ，３０ｂ，４０ｂを往復移動できるように、ガイド体１，３０，４０に外挿され、しかも、ガイド体１，３０，４０の一端部１ａ，３０ａ，４０ａ側に、基端開口部１１，３７，４６が位置した際に前記線状体５０の端部５０ａを被覆するとともに、ガイド体１，３０，４０の他端部１ｂ，３０ｂ，４０ｂ側に、基端開口部１１，３７，４６が位置した際に前記線状体５０の端部５０ａを先端開口部１２，３８，４７から外部に露出させる筒状のスライドカバー１０，３５，４５と、該スライドカバー１０，３５，４５の基端開口部１１，３７，４６が、ガイド体１，３０，４０の一端部１ａ，３０ａ，４０ａ側に常に位置するように弾性付勢する付勢手段２０とを備えたことを特徴とする。
【００１１】
この場合、筒状のスライドカバー１０，３５，４５の基端開口部１１，３７，４６が、ガイド体１，３０，４０の一端部１ａ，３０ａ，４０ａ側に常に位置するように弾性付勢されているので、ガイド体１，３０，４０の一端部１ａ，３０ａ，４０ａから臨出した線状体５０の端部５０ａが常時被覆される。すなわち、該端部５０ａが常時保護される。また、ガイド体１，３０，４０が、線状体５０に沿って配置されたガイド体１，３０，４０の両端部１ａ，３０ａ，４０ａ、１ｂ，３０ｂ，４０ｂを、弾性付勢されつつ往復移動するので、線状体５０の端部５０ａを被覆できるとともに、該端部５０ａを外部に露出できる。すなわち、線状体５０の端部５０ａを保護したり、該端部５０ａを露出させて、端部５０ａを把持して接続作業したりできる。さらに、線状体５０の端部５０ａが、弾性付勢されたスライドカバー１０，３５，４５によって常時被覆されるので、線状体５０の端部５０ａを放しても、該端部５０ａを迅速に保護できるとともに、他の機材への接触を回避できる。
なお、ここでいう筒状のスライドカバー１０，３５，４５とは、円筒体または角筒体そのものや、複数の分割体によって構成される筒体、両端部に外径よりも小径の開口部を有する筒体も含むものとする。
【００１２】
また、本発明によれば、前記ガイド体３０は、線状体５０の外周面を挟持できるように、常に閉方向に弾性付勢される一対の挟持片３１０，３１０を有するガイド用挟持体３１で構成される内筒であり、前記スライドカバー３５は、閉状態のガイド用挟持体３１の各挟持片３１０，３１０の外周面を挟持できるように、閉方向に弾性付勢される一対の挟持片３６０，３６０を有する被覆用挟持体３６で構成される外筒であり、さらに、ガイド用挟持体３１および被覆用挟持体３６は、外部から開閉操作できるように、操作片３１１，３１１、３６１，３６１が形成されるような構成を採用することもできる。
【００１３】
この場合、端末処理具を線状体５０に装着する際、スライドカバー３５として外筒を構成する被覆用挟持体３６の各挟持片３６０，３６０を開いた後、ガイド体３０として内筒を構成するガイド用挟持体３１，３１の各挟持片３１０，３１０を開くようにして装着するようにしてもよく、ガイド用挟持体３１および被覆用挟持体３６の各挟持片３１０，３１０、３６０，３６０を同時に開いて線状体５０に装着するようにしてもよい。また、ガイド体３０およびスライドカバー３５に形成された操作片３１１，３１１、３６１，３６１は、外部から操作できるので、手で直接操作してもよく、工具Ｔを用いて遠隔から操作してもよい。
【００１４】
また、本発明によれば、前記ガイド体４０は、線状体５０に沿って配置されるガイド本体４０ａに、線状体５０の外径の大きさを肉厚によって吸収する緩衝部材４２，４２が内面に固着される一対の挟持片４１０，４１０を有する装着用挟持体４１が配置されるようにしてもよい。
【００１５】
この場合、線状体５０の外径の大きさに関係なく、ガイド体４０を線状体５０に沿って配置することができる。具体的には、外径の大きい線状体５０の場合、緩衝部材４２，４２の肉厚が薄くなるように変形して、線状体５０の外周面を挟持する。また、外径の小さい線状体５０の場合、現状の肉厚の緩衝部材４２，４２が、線状体５０の外周面を挟持する。
【００１６】
また、本発明によれば、前記線状体５０の端部５０ａは、被覆部材５１が剥離されて外部に臨出した電線５０の導体５２と、該導体５２が外部に臨出した電線５０の被覆部材５１の端部５１ａとを含む部位であり、しかも、前記ガイド体１，３０，４０の他端部１ｂ，３０ｂ，４０ｂ側に、前記スライドカバー１０，３５，４５の基端開口部１１，３７，４６が位置した際に、前記スライドカバー１０，３５，４５の先端開口部１２，３８，４７から露出した電線５０の被覆部材５１の端部５１ａを工具Ｔで把持できるように、前記ガイド体１，３０，４０の一端部１ａ，３０ａ，４０ａから臨出されるような構成を採用することもできる。
【００１７】
線状体が電線５０である場合、被覆部材５１が剥離されて外部に臨出した電線５０の導体５２と、該導体５２が外部に臨出した電線５０の被覆部材５１の端部５１ａとを含む部位が、ガイド体１，３０，４０の一端部１ａ，３０ａ，４０ａから臨出することになる。この端部５１ａを覆う際は、ガイド体１，３０，４０の一端部１ａ，３０ａ，４０ａ側に位置するスライドカバー１０，３５，４５によって導体５２を被覆すればよい。また、電線５０の各導体５２，５２を接続する際は、スライドカバー１０，３５，４５をガイド体１，３０，４０の一端部１ａ，３０ａ，４０ａ側から他端部１ｂ，３０ｂ，４０ｂ側に移動させて、導体５２をスライドカバー１０，３５，４５の先端開口部１２，３８，４７から外部に露出するとともに、電線５０の被覆部材５１の端部５１ａを工具Ｔで把持するようにすればよい。また、工具Ｔで把持した前記端部５１ａを放したとしても、スライドカバー１０，３５，４５が付勢手段によって、ガイド体１，３０，４０の一端部１ａ，３０ａ，４０ａ側に弾性付勢されるので、他の機材に電線５０の導体５２が接触することがなく、安全性を確保できる。すなわち、上述した電線５０に対する各端末処理を迅速かつ安全に行うことができる。
【００１８】
また、本発明によれば、前記スライドカバー１０，３５，４５は、前記電線５０の外周面に装着する際に、工具Ｔで把持される電線５０の被覆部材５１の端部５１ａの長さを目測するための基準線１５が、外周面に表示されるような構成を採用することもできる。
【００１９】
この場合、スライドカバー１０，３５，４５に表示される基準線１５に基づいて、工具Ｔで把持される電線５０の被覆部材５１の端部５１ａの長さを目測できるので、ガイド体１，３０，４０の一端部１ａ，３０ａ，４０ａからどの程度に電線５０の端部５０ａを臨出させればよいか容易に判断できる。
【発明の効果】
【００２０】
本発明によれば、線状体に沿って配置されるガイド体に、弾性付勢されたスライドカバーを外挿するだけで、容易に線状体に装着できる。また、ガイド体の一端部側に、スライドカバーの基端開口部を位置させて、ガイド体の一端部から臨出した線状体の端部を被覆し、ガイド体の他端部側に、スライドカバーの基端開口部を位置させて、線状体の端部を、スライドカバーの先端開口部から外部に露出するようにしたので、線状体の端部を被覆することができるとともに、被覆された状態の線状体の端部を外部に露出させて、手や工具で把持することができ、さらに、把持した線状体の端部を放した場合は、該端部を被覆した状態に迅速に戻すことができる。
【図面の簡単な説明】
【００２１】
【図１】本発明に係る端末処理具の一実施形態を示す図であり、（ａ）は、ガイド体の一端部側に、付勢手段によってスライドカバーを位置させた状態を示す斜視図、（ｂ）は、ガイド体の他端部側にスライドカバーを移動させた状態を示す斜視図。
【図２】図１の端末処理具の使用態様を示す図であり、（ａ）は、スライドカバーに表示される基準線に基づいて、端末処理具を電線の端部に装着するとともに、電線の端部をスライドカバーで被覆した状態を示す側断面図、（ｂ）は、図２（ａ）の側断面図、（ｃ）は、電線の端部を接続する場合に、スライドカバーの先端開口部から電線の端部を露出させた状態を示す側断面図、（ｄ）は、スライドカバーの先端開口部から露出した電線の端部を、工具で把持した状態を示す側断面図。
【図３】工具で把持した一方の電線（通電状態の電線）の端部を、他方の電線（停電状態の電線）の端部に挿入されたスリーブの他端部に挿入し、該スリーブを圧縮して各電線を接続する状態を示す側断面図。
【図４】図１の端末処理具の変形例を示す図であり、（ａ）は、ガイド体の一端部側に、付勢手段によってスライドカバーを位置させた状態を斜め前方から見た斜視図、（ｂ）は、図４（ａ）を斜め後方から見た斜視図。
【図５】図４の端末処理具の使用態様を示す概略斜視図であり、（ａ）は、スライドカバーに表示される基準線に基づいて、端末処理具を電線の端部に装着する状態を示す概略斜視図、（ｂ）は、スライドカバーの挟持体を開いた状態を示す概略斜視図。
【図６】（ａ）は、ガイド体の挟持体を開いた状態を示す概略斜視図、（ｂ）は、ガイド体の挟持体を電線の外周面に装着した状態を示す概略斜視図。
【図７】（ａ）は、スライドカバーの挟持体を閉じて、電線の端部を被覆した状態を示す概略斜視図、（ｂ）は、スライドカバーを、ガイド体の他端部側に移動させて、電線の端部を露出させた状態を示す概略斜視図、（ｃ）は、露出した電線の端部を工具で把持した状態を示す概略斜視図。
【図８】図１の端末処理具のさらなる変形例を示す図であり、（ａ）は、電線の外径に応じて肉厚が変形する緩衝部材が固着されたガイド体の挟持体を開いた状態を示す概略斜視図、（ｂ）は、該挟持体を閉じて、電線に端末処理具を装着した状態を示す概略斜視図。
【発明を実施するための形態】
【００２２】
本発明に係る端末処理具の一実施形態について図１〜図８を参照しながら説明する。なお、本実施形態においては、線状体としては、電柱間に架設される電線を例にとって説明する。また、図１、図４〜図８を正面から見て、各紙面の上下左右を端末処理具の上部、下部、左側、右側とし、図２および図３を正面から見て、各紙面の上下左右を端末処理具の上部、下部、前部、後部とする。
【００２３】
本実施形態に係る端末処理具Ａは、図１（ａ），（ｂ）に示すように、電線５０に沿って配置される内筒としてのガイド体１と、該ガイド体１の両端部１ａ，１ｂを往復移動できるように、ガイド体１に外挿される外筒としてのスライドカバー１０と、該スライドカバー１０の基端開口部１１が、ガイド体１の一端部１ａ側に常に位置するように弾性付勢する付勢手段２０とを備えている。
【００２４】
ガイド体１は、図２（ａ）に示すように、電線５０の外径よりもやや大きい内径、すなわち電線５０を挿通できる程度の大きさの内径を有する円筒状を呈している。そして、電線５０の端部５０ａ、すなわち被覆部材５１が剥離されて外部に臨出した電線５０の導体５２と、該導体５２が外部に臨出した電線５０の被覆部材５１の端部５１ａとを含む部位が、ガイド体１の一端側の開口部（引出口）２から臨出するように、ガイド体１の他端側の開口部（引込口）３から電線５０が引き込まれて、電線５０に沿ってガイド体１が装着される。この際、ガイド体１の内周面と電線５０の外周面とが面接触するので、電線５０に対してガイド体１は固定された状態になる。また、ガイド体１の外周面の両側部に、一対の凸条のガイド部４，４が軸線に対して平行するように形成されている。
【００２５】
スライドカバー１０は、図２（ａ），（ｂ）に示すように、透明の中空の円柱状を呈しており、ガイド体１の外径よりもやや大きい内径、すなわちガイド体１を挿通できる程度の大きさの内径を有する基端開口部１１と、電線５０の端部５０ａが挿脱される大きさの内径を有する先端開口部１２と、基端開口部１１および先端開口部１２の間に配置された、電線５０の端部５０ａを覆う本体部１３とを有している。すなわち、スライドカバー１０は、両端部に、外径よりも小径の開口部１１，１２を有する円筒体を呈している。そして、本体部１３の内周面の両側に、ガイド部４，４に嵌入される凹状の溝１４，１４が軸線に対して平行するように形成され、ガイド部４，４と溝１４，１４とが嵌入することによって、ガイド体１に対してスライドカバー１０が移動自在に外挿される（図１（ａ），（ｂ）参照）。そして、図２（ａ）に示すように、ガイド体１の一端部１ａ側に、スライドカバー１０の基端開口部１１が位置した際に電線５０の端部５０ａを被覆する。この際、スライドカバー１０の先端開口部１２の内面の肉厚は、電線５０の端部５０ａに対して十分な絶縁距離を確保できる厚さとなっている。一方、図２（ｂ）に示すように、ガイド体１の他端部１ｂ側に、スライドカバー１０の基端開口部１１が位置した際に電線５０の端部５０ａを先端開口部１２から外部に露出する。この際、スライドカバー１０の先端開口部１２から露出した電線５０の被覆部材５１の端部５１ａは、工具Ｔで把持できる程度の長さを有している。すなわち、被覆部材５１の端部５１ａが工具Ｔで把持できる程度の長さを見込んだ長さの電線５０の端部５０ａが、ガイド体１の一端側の開口部２から臨出されているのである。なお、ここでいう、工具Ｔとは、例えば、間接活線工事用把持具（ヤットコ等）が使用される。
【００２６】
また、スライドカバー１０の外周面に沿って基準線１５が表示されている（図２（ａ）参照）。該基準線１５は、スライドカバー１０の最大移動量を示す線であり、この線を越えた位置に、工具Ｔで把持される電線５０の被覆部材５１の端部５１ａを位置させる。すなわち、基準線１５は、スライドカバー１０を電線５０の外周面に装着する際に、工具Ｔで把持される電線５０の被覆部材５１の端部５１ａの長さを目測するための線でもある。つまり、スライドカバー１０に表示される基準線１５に基づいて、スライドカバー１０の最大移動量を判断できるとともに、工具Ｔで把持される電線５０の被覆部材５１の端部５１ａの長さを目測できるので、ガイド体１の一端部１ａからどの程度に電線５０の端部５０ａを臨出させればよいか容易に判断できる。
【００２７】
付勢手段は、図２（ａ）〜（ｄ）に示すように、スライドカバー１０の基端開口部１１が、ガイド体１の一端部１ａに常に位置するように、伸縮自在の環状の弾性部材２０が、ガイド体１の一端部１ａの外周面とスライドカバー１０の基端部の内面との間に配置されている。
【００２８】
つぎに使用態様について図２および図３を参照して説明する。まず、上述した電線５０の端部５０ａ、すなわち被覆部材５１が剥離されて外部に臨出した電線５０の導体５２と、該導体５２が外部に臨出した電線５０の被覆部材５１の端部５１ａとを含む部位を被覆する場合は、図２（ａ）に示すように、スライドカバー１０に表示される基準線１５に基づいて、工具Ｔで把持される電線５０の被覆部材５１の端部５１ａの長さを目測して端末処理具Ａを電線５０の端部５０ａに装着する。すなわち、電線５０の被覆部材５１の端部５１ａが基準線１５から工具Ｔで把持される分だけ突出するように、電線５０をガイド体１の引込口３から引き込む。そうすることで、ガイド体１の一端部１ａ側に位置するスライドカバー１０によって、電線５０の端部５０ａが被覆される。
【００２９】
そして、一対の電線５０，５０の導体５２，５２を接続する場合は、図２（ｂ），（ｃ）に示すように、ガイド体１の一端部１ａ側に位置するスライドカバー１０を、ガイド体１の他端部１ｂ側に移動させて、電線５０の導体５２をスライドカバー１０の先端開口部１２から露出させるとともに、電線５０の被覆部材５１の端部５１ａを工具Ｔで把持する。この際、工具Ｔから電線５０の端部５０ａが放されたとしても、ガイド体１の他端部１ｂ側に位置するスライドカバー１０が付勢手段としてのばね２０，２０によって、ガイド体１の一端部１ａ側に向かって付勢されるので、電線５０の端部５０ａがスライドカバー１０によって被覆される。このため、電線５０の導体５２が、他の機材に接触することがなく、安全性を確保できる。
【００３０】
そして、図３に示すように、スライドカバー１０の先端開口部１２から露出した一方の電線（通電状態の電線）５０の端部５０ａを工具Ｔで把持した状態で、他方の電線（停電状態の電線）５０の導体５２にスリーブＳの一端部を挿入するとともに、スリーブＳの他端部を一方の電線５０の端部５０ａの導体５２に挿入する。その後、図示しない圧縮工具でスリーブＳを圧縮して、各電線５０，５０の端部５０ａ，５０ａを電気的に接続する。
【００３１】
以上説明したように、本実施形態に係る端末処理具は、ガイド体１の一端部１ａ側に、スライドカバー１０の基端開口部１１を位置させて、ガイド体１の一端部１ａ側から臨出した電線５０の端部５０ａを被覆し、ガイド体１の他端部１ｂ側に、スライドカバー１０の基端開口部１１を位置させて、電線５０の端部５０ａを、スライドカバー１０の先端開口部１２から外部に露出するようにしたので、電線５０の端部５０ａを保護できるとともに、接続作業における作業性をよくするとともに、安全性を確保できる。
【００３２】
なお、本発明に係る端末処理具は、前記実施の形態に限定することなく種々変更することができる。
【００３３】
例えば、前記実施形態の場合、筒体そのもので構成されるガイド体１およびスライドカバー１０を例にとって説明したが、図４（ａ），（ｂ）に示すように、電線５０の外周面を挟持できるように、常に閉方向に弾性付勢されるガイド用挟持体３１で構成される内筒としてのガイド体３０と、閉状態のガイド用挟持体３１の外周面を挟持できるように、常に閉方向に弾性付勢される被覆用挟持体３６で構成される外筒としてのスライドカバー３５とを備えるようにしてもよい。なお、図中の符号３７は、スライドカバー３５の基端開口部、３８は、スライドカバー３５の先端開口部である。
【００３４】
ガイド用挟持体３１は、ヒンジ３２によって開閉自在に支持され、電線５０の外周面に内面が密着する内筒を構成する一対の半割れ状の挟持片３１０，３１０と、該各挟持片３１０，３１０の基端部から外方に向うにしたがって大きく開口するように延出される、すなわち内筒を構成する一対の半割れ状の挟持片（閉じた状態の挟持片）３１０，３１０のヒンジ３２を回動支点として、各挟持片３１０，３１０が開けるように延出される一対の操作片３１１，３１１とを有している。なお、図中の符号３３は、各挟持片３１０，３１０の外面に形成された凸条のガイド部である。また、前記実施形態と同様に、スライドカバー３５の基端開口部３７が、ガイド体３０の一端部３０ａ側に常に位置するように、伸縮自在の環状の弾性部材２０が、ガイド体３０とスライドカバー３５との間に配置されている。
【００３５】
被覆用挟持体３６は、ヒンジ３９によって開閉自在に支持され、閉状態のガイド用挟持体３１の外周面に内面が密着する外筒を構成する一対の半割れ状の挟持片３６０，３６０と、該各挟持片３６０，３６０の基端部から外方に向うにしたがって大きく開口するように延出される、すなわち外筒を構成する一対の半割れ状の挟持片（閉じた状態の挟持片）３６０，３６０の各基端部を回動支点として、各挟持片３６０，３６０が開くように延出される一対の操作片３６１，３６１とを有している。
【００３６】
なお、ガイド用挟持体３１および被覆用挟持体３６を閉方向に弾性付勢する付勢部材としては、図示していないが、二つ折りされた板ばねであってもよく、つる巻きばねであってもよい。
【００３７】
つぎに使用態様について図５〜図７を参照して説明する。まず、図５（ａ）に示すように、前記実施形態と同様に、スライドカバー３５に表示された基準線１５に基づいて、電線５０に対する端末処理具Ｂの取付位置を目測する。その後、図５（ｂ）に示すように、外筒としてのスライドカバー３５の被覆用挟持体３６の各挟持片３６０，３６０を開いた後、図６（ａ）に示すように、内筒としてのガイド体３０のガイド用挟持体３１の各挟持片３１０，３１０を開く。そして、図６（ｂ）に示すように、開いた状態のガイド用挟持体３１の各挟持片３１０，３１０を閉じて、該各挟持片３１０，３１０を電線５０の外周面に装着する。その後、図７（ａ）に示すように、被覆用挟持体３６の各挟持片３６０，３６０を閉じて、電線５０の端部５０ａを被覆する。
【００３８】
また、電線５０の端部５０ａを接続する場合は、図７（ｂ）に示すように、ガイド体３０の一端部３０ａ側に位置したスライドカバー３５を、ガイド体３０の他端部３０ｂ側に移動させて、電線５０の端部５０ａをスライドカバー３５の先端開口部３８から露出させ、図７（ｃ）に示すように、露出した電線５０の端部５０ａを工具Ｔで把持する。
【００３９】
また、図４に示す端末処理具Ｂの場合、ガイド用挟持体３１の各挟持片３１０，３１０を開いた後、被覆用挟持体３６の各挟持片３６０，３６０を開くようにしたが、ガイド用挟持体３１の各挟持片３１０，３１０、および、被覆用挟持体３６の各挟持片３６０，３６０を同時に開いて装着するようにしてもよい。また、ガイド用挟持体３１および被覆用挟持体３６に形成された操作片３１１，３６１は、外部から操作できるので、手で直接操作してもよく、工具Ｔを用いて遠隔から操作してもよい。
【００４０】
また、前記実施形態の場合、筒状のガイド体１を電線５０に外挿するようにしたが、図８（ａ），（ｂ）に示すように、電線５０に外挿される筒状のガイド体４０の内面に、電線５０の外径に応じて電線５０の外周面を挟持できるように、電線５０の外径に応じて肉厚が変わる緩衝部材４２，４２が内面に固着される一対の挟持片４１０，４１０を有する装着用挟持体４１を配置するようにしてもよい。該装着用挟持体４１の各挟持片４１０，４１０は、外径の大きい電線５０の外周面を挟持する場合、緩衝部材４２，４２の肉厚が薄くなって挟持するようになり、外径の小さい電線５０の外周面を挟持する場合、緩衝部材４２，４２の現状のままの肉厚によって挟持する。要するに、緩衝部材４２，４２の肉厚は、電線５０の最小外径に合わせて設定され、電線５０の外径が大きくなるにしたがって、緩衝部材４２，４２の肉厚が薄くなるように変形することで吸収しようとしている。そうすることで、種々の電線５０に対応できる。また、各挟持片４１０，４１０は、筒状のガイド体４０の内部空間において開閉するので、各挟持片４１０，４１０の開閉によって、ガイド体４０が変形することはなく、スライドカバー４５の移動ガイドを常に円滑に行うことができる。なお、図中の符号４５は、スライドカバー、４６は、スライドカバー４５の基端開口部、４７は、スライドカバー４５の先端開口部、４８は、スライドカバー４５を構成する被覆用挟持体、４８０は、被覆用挟持体４８の一対の挟持片、Ｃは、端末処理具である。
【００４１】
また、前記実施形態の場合、ガイド体１，３０，４０を、筒状としたが、例えば、線状体に沿って直線状に配置される平板であってもよい。要は、スライドカバー１０，３５，４５の往復移動をガイドできる形状であればよい。
【００４２】
また、前記実施形態の場合、弾性部材として伸縮自在の環状の付勢部材を使用したが、例えば、スライドカバー１０，３５，４５の内周面に形成した溝１４、または、ガイド体１，３０，４０の外周面に形成した溝１４にバネを配置するようにしてもよい。
【符号の説明】
【００４３】
１，３０，４０…ガイド体、１ａ…一端部、１ｂ…他端部、１０，３５，４５…スライドカバー、１１，３７，４６…基端開口部、１２，３８，４７…先端開口部、１５…基準線、２０…付勢手段（ばね）、３１…ガイド用挟持体、３１０，３６０，４１０…挟持片、３１１，３６１…操作片、３５…被覆用挟持体、４０…ガイド本体、４１…装着用挟持体、４２…緩衝部材、５０…電線（線状体）、５０ａ…電線の端部（線状体の端部）、５１…被覆部材、５１ａ…被覆部材の端部、５２…導体、Ａ，Ｂ，Ｃ…端末処理具、Ｔ…工具
【図１】
2012174399.tif 000003
【図２】
2012174399.tif 000004
【図３】
2012174399.tif 000005
【図４】
2012174399.tif 000006
【図５】
2012174399.tif 000007
【図６】
2012174399.tif 000008
【図７】
2012174399.tif 000009
【図８】
2012174399.tif 000010